【手続補正書】
【提出日】平成15年6月25日(2003.6.25)
【手続補正１】
【補正対象書類名】明細書
【補正対象項目名】発明の名称
【補正方法】変更
【補正の内容】
【発明の名称】文字メッセージ送信機能付き通信装置


【手続補正２】
【補正対象書類名】明細書
【補正対象項目名】特許請求の範囲
【補正方法】変更
【補正の内容】
【特許請求の範囲】
【請求項１】
通信システムにおいて、留守モードで通信する通信方法であって、
イ）着信を受けるステップと、
ロ）該着信において発信者番号が通知されている場合、該着信に対し応答せず拒否するステップと、
ハ）拒否後に、前記発信者番号に対し文字メッセージを自動で送信するステップと、から成る通信方法。
【請求項２】
請求項１記載の方法であって、さらに、前記着信において前記発信者番号が通知されていない場合、前記着信に応答して、音声メッセージを自動的に送信するステップ、を含むことを特徴とする通信方法。
【請求項３】
請求項１または２に記載の方法において、前記文字メッセージの内容は、ユーザが設定可能であること、を特徴とする通信方法。
【請求項４】
請求項３記載の方法において、前記文字メッセージの内容は、複数の文字メッセージからユーザが選択可能であること、を特徴とする通信方法。
【請求項５】
請求項１から４のいずれかに記載の方法において、前記発信者番号に対し前記文字メッセージの送信を行うか否かは、ユーザが選択可能であること、を特徴とする通信方法。
【請求項６】
請求項５記載の方法において、前記着信に対し応答せず拒否するステップは、前記着信において発信者番号が通知されている場合であって、かつ前記発信者番号に対し文字メッセージの送信を行うように設定されている場合に実行すること、を特徴とする通信方法。
【請求項７】
請求項１から６のいずれかに記載の方法において、前記文字メッセージの送信は、ショートメッセージサービスを利用すること、を特徴とする通信方法。
【請求項８】
通信装置を留守モードにおいて動作させるため、コンピュータに
イ）前記通信装置が着信を受けたかどうか判定する手順と、
ロ）前記着信を受けた場合に、該着信において発信者番号が通知されているかどうか判定する手順と、
ハ）前記発信者番号が通知されている場合に、前記通信装置に、前記着信に対し応答せず拒否させる手順と、
ニ）拒否後に、前記通信装置に、前記発信者番号に対し文字メッセージを自動で送信させる手順と、を実行させる留守モード動作プログラム。
【請求項９】
請求項８記載のプログラムであって、さらに、前記発信者番号が通知されている場合に、該発信者番号に対し文字メッセージによる応答が選択されているかどうか判定する手順を含み、該選択がされていない場合、前記着信に応答して前記発信者番号に対し音声メッセージを自動的に送信する手順を含むこと、を特徴とする留守モード動作プログラム。
【請求項１０】
請求項９記載のプログラムにおいて、発信者番号に対し文字メッセージによる応答が選択されているかどうか判定する前記の手順は、前記通信装置に設けられたメモリに格納の電話帳データを検索する手順を含み、該電話帳データは、少なくとも名前と、電話番号と、文字メッセージ応答設定の情報を含むこと、を特徴とする留守モード動作プログラム。
【請求項１１】
文字メッセージ送信機能を持つ通信システムにおいて通信が可能な通信装置であって、
イ）前記通信システムにおいて、着信および発信を含む通信を制御するための通信制御手段と、
ロ）留守モード応答手段であって、
ｉ）着信において発信者番号が通知されている場合に、該着信に対し応答せず拒否し、その後に前記発信者番号に対し文字メッセージの自動的な送信を行う文字メッセージ応答モードと、
ｉｉ）前記着信に対し応答して音声メッセージの自動的な送信を行う音声メッセージ応答モードと、を含む前記の留守モード応答手段と、を備えたこと、を特徴とする通信装置。
【請求項１２】
請求項１１記載の装置において、前記留守モード応答手段は、記憶手段を含み、該記憶手段は、
イ）前記文字メッセージの文を記憶する第１の記憶領域と、
ロ）留守モードの設定を記憶する第２の記憶領域と、を含み、
前記第２記憶領域に記憶された留守モード設定が、前記文字メッセージ応答モードが選択されていることを示す場合、前記留守モード応答手段は、前記着信に対し前記文字メッセージ応答モードで応答し、
前記第２記憶領域に記憶された留守モード設定が、前記音声メッセージ応答モードが選択されていることを示す場合、前記留守モード応答手段は、前記着信に対し前記音声メッセージ応答モードで応答すること、を特徴とする通信装置。
【請求項１３】
請求項１１記載の装置において、前記留守モード応答手段は、記憶手段を含み、該記憶手段は、
イ）前記文字メッセージの文を記憶する第１の記憶領域と、
ロ）留守モードの設定を記憶する第２の記憶領域と、
ハ）名前、電話番号、文字メッセージ送信設定を含む電話帳データを記憶する第３の記憶領域と、
ニ）前記音声メッセージを記憶する第４の記憶領域と、を含み、
前記第２記憶領域に記憶された留守モード設定が、前記文字メッセージ応答モードが選択されていることを示す場合において、前記電話帳データ内の前記文字メッセージ送信設定が前記発信者番号に対し前記文字メッセージ送信が選択されていることを示す場合、前記留守モード応答手段は、前記着信に対し、前記第１記憶領域に記憶のいずれか１つの文字メッセージを使用して前記文字メッセージ応答モードで応答し、前記文字メッセージ送信設定が前記発信者番号に対し前記文字メッセージ送信が選択されていないことを示す場合、前記留守モード応答手段は、前記着信に対し、前記第４記憶領域に記憶のいずれか１つの音声メッセージを使用して前記音声メッセージ応答モードで応答すること、を特徴とする通信装置。
【請求項１４】
文字メッセージ送信機能を持つ通信システムで通信が可能な通信装置において、
文字メッセージ文を記憶する第１の記憶領域と、
使用者が着信時の処理および送信する文字メッセージを選択できるようにする入力手段と、
その選択内容を記憶する第２の記憶領域と、
発信、着信受付、通話、切断、文字メッセージの送受信を実行する通信制御手段と、
発信者番号が通知された着信に対して応答せず拒否し、その後通知された発信者番号へ文字メッセージを自動で送信するメッセージ送信手段と、を備えた通信装置。
【請求項１５】
請求項１４記載の通信装置であって、
電話番号、名前、および着信時文字メッセージ送信設定を関連付けて電話帳として記憶するための電話帳機能手段と、
前記電話帳データを記憶する第３の記憶領域と、
前記電話帳データを入力する入力手段と、
発信者番号が通知された着信時に前記電話帳データから前記発信者番号に関連する名前を検索する電話帳検索手段と、
検索した前記電話帳データの前記文字メッセージ送信設定により文字メッセージを自動送信するかしないかを判断するメッセージ送信判定手段と、を備えたこと、を特徴とする通信装置。
【請求項１６】
請求項１５記載の通信装置であって、
自動応答用音声メッセージを記憶する第４の記憶領域と、
音声メッセージを再生する手段と、
着信時に自動応答かつ自動応答用メッセージ再生をする処理か、着信拒否かつ文字メッセージ送信をする処理のうちどちらの処理を実施するかを判断する手段と、を有する通信装置。
【手続補正３】
【補正対象書類名】明細書
【補正対象項目名】０００１
【補正方法】変更
【補正の内容】
【０００１】
【産業上の利用分野】
本発明は、文字メッセージ送受信サービス機能と発信者番号通知サービス機能を有する通信システムにおいて利用可能な通信装置に関する。


【手続補正４】
【補正対象書類名】明細書
【補正対象項目名】０００６
【補正方法】変更
【補正の内容】
【０００６】
本発明の目的は、ＧＳＭ、ＰＤＣ、Ｗ−ＣＤＭＡなどの通信網でサポートされているショートメッセージサービス（ＳＭＳ）を利用することにより、発信者に通話料金を課金させずに、またインターネットを経由せずに、通信網内のみで、電話に応答できない旨を発信者に伝える手段を提供することである。


【手続補正５】
【補正対象書類名】明細書
【補正対象項目名】０００７
【補正方法】変更
【補正の内容】
【０００７】
【課題を解決するための手段】
上記の目的を達成するため、本発明によれば、通信システムにおいて留守モードで通信する通信方法は、イ）着信を受けるステップと、ロ）該着信において発信者番号が通知されている場合、該着信に対し応答せず拒否するステップと、ハ）拒否後に、前記発信者番号に対し文字メッセージを自動で送信するステップと、から成る。


【手続補正６】
【補正対象書類名】明細書
【補正対象項目名】００１０
【補正方法】変更
【補正の内容】
【００１０】
さらに、前記文字メッセージの送信は、ショートメッセージサービスを利用することを特徴とする。また、本発明によれば、通信装置を留守モードにおいて動作させるための留守モード動作プログラムは、コンピュータに、イ）前記通信装置が着信を受けたかどうか判定する手順と、ロ）前記着信を受けた場合に、該着信において発信者番号が通知されているかどうか判定する手順と、ハ）前記発信者番号が通知されている場合に、前記通信装置に、前記着信に対し応答せず拒否させる手順と、ニ）拒否後に、前記通信装置に、前記発信者番号に対し文字メッセージを自動で送信させる手順と、を実行させる。


【手続補正７】
【補正対象書類名】明細書
【補正対象項目名】００１２
【補正方法】変更
【補正の内容】
【００１２】
また、発信者番号に対し文字メッセージによる応答が選択されているかどうか判定する前記の手順は、前記通信装置に設けられたメモリに格納の電話帳データを検索する手順を含み、該電話帳データは、少なくとも名前と、電話番号と、文字メッセージ応答設定の情報を含むことができる。


【手続補正８】
【補正対象書類名】明細書
【補正対象項目名】００１３
【補正方法】変更
【補正の内容】
【００１３】
また、本発明による、文字メッセージ送信機能を持つ通信システムにおいて通信が可能な通信装置は、イ）前記通信システムにおいて、着信および発信を含む通信を制御するための通信制御手段と、ロ）留守モード応答手段であって、ｉ）着信において発信者番号が通知されている場合に、該着信に対し応答せず拒否し、その後に前記発信者番号に対し文字メッセージの自動的な送信を行う文字メッセージ応答モードと、  ｉｉ）前記着信に対し応答して音声メッセージの自動的な送信を行う音声メッセージ応答モードと、を含む前記の留守モード応答手段と、を備える。


【手続補正９】
【補正対象書類名】明細書
【補正対象項目名】００１４
【補正方法】変更
【補正の内容】
【００１４】
また、本発明による、通信装置は、応答用文字メッセージを記憶する記憶部と、使用者に文字メッセージで応答するか否かの設定と応答文字メッセージ文を選択させる手段と、着信時にその設定内容により着信拒否かつ文字メッセージ送信を実施するか否か判定する手段と、かかってきた着信に対して自動で拒否を行い、その後応答用文字メッセージを移動体通信網のショートメッセージサービス機能にて自動で送信する手段と、を備える。


【手続補正１０】
【補正対象書類名】明細書
【補正対象項目名】００１５
【補正方法】変更
【補正の内容】
【００１５】
さらに、前記通信装置は、電話番号と名前と文字メッセージで応答するか否かの設定とを関連付けて記憶する電話帳機能手段を有し、その電話帳に登録されている電話番号個別に着信拒否かつ文字メッセージ送信を実施するか否か判定する手段、を備えることができる。


【手続補正１１】
【補正対象書類名】明細書
【補正対象項目名】００１６
【補正方法】変更
【補正の内容】
【００１６】
またさらに、前記通信装置は、応答用音声メッセージを記憶する記憶部と、その音声メッセージを再生する手段と、を備えることができる。